(57)【要約】【課題】浸水による強度低下が少なく、安価に製造でき、開口部等の穿設に制約が生じない包装容器を提供する。【解決手段】耐水性を備えた厚紙製の容器本体１に、その側壁３，４を補強する補強板２０が内挿された包装容器において、補強板２０は、厚紙製の基材２０ａが樹脂製フィルム２４で包まれたものとする。このような包装容器では、浸水して容器本体１の側壁３，４の強度が低下しても、補強板２０の基材２０ａがフィルム２４で包まれているので、補強板２０の強度は低下せず、積上強度が維持される。また、容器本体１をフィルムで被覆せず、補強板２０の基材２０ａのみをフィルム２４で包んでいるので、安価に製造できるほか、容器本体１への開口部等の穿設が制約されることもない。【選択図】図４
0003194019.tif 000002
【実用新案登録請求の範囲】
【請求項１】
耐水性を備えた厚紙製の容器本体(1)に、その側壁(3,4)を補強する補強板(20)が内挿された包装容器において、前記補強板(20)は、厚紙製の基材(20a)が樹脂製フィルム(24)で包まれたものであることを特徴とする耐水補強板を備えた包装容器。
【請求項２】
前記補強板(20)は、基材(20a)に帯状のフィルム(24)を巻き付けて、フィルム(24)の端部を閉じ、基材(20a)がフィルム(24)から抜けないようにしたものであることを特徴とする請求項１に記載の耐水補強板を備えた包装容器。
【請求項３】
前記側壁(3,4)は、外側板(5,8)と内側板(7,10)とを備えたものとし、外側板(5,8)と内側板(7,10)の間に前記補強板(20)を挟み込んだことを特徴とする請求項１又は２に記載の耐水補強板を備えた包装容器。
【考案の詳細な説明】
【技術分野】
【０００１】
この考案は、水に濡れる環境下での使用時における強度維持のため、耐水補強板を備えた包装容器に関するものである。
【背景技術】
【０００２】
従来、水産物の運搬に際しては、水に濡れても強度が低下しにくい木製の容器が主として使用されてきたが、軽量で取り扱い易い段ボール製容器への需要もある。ところが、段ボールは、水に濡れると著しく強度が低下する。
【０００３】
その対策となり得る積上強度の向上を図った段ボール製のトレイ状容器として、下記特許文献１，２には、底壁から起立する側壁の外側板と内側板の間に、帯状の段ボール板を稜部に沿って折り曲げた補強板を挟み込んだものが記載されている。
【０００４】
また、耐水性を付与した段ボール製のトレイ状容器として、下記特許文献３，４には、段ボール製のブランク全体を防水フィルムで被覆し、ブランクの周縁に沿って防水フィルムをシールしたものが記載されている。
【０００５】
これらを参照すると、防水フィルムで全体的に被覆した容器本体に補強板を内挿して、耐水性を付与すると共に、積上強度を強化した包装容器が考えられる。
【先行技術文献】
【特許文献】
【０００６】
【特許文献１】特許第３３３３１６１号公報
【特許文献２】特許第３０４８９４８号公報
【特許文献３】実開平２−３１８２１号公報
【特許文献４】実開昭５２−３０３２２号公報
【考案の概要】
【考案が解決しようとする課題】
【０００７】
しかしながら、上記のように容器本体を全体的に防水フィルムで被覆して耐水性を付与し、これに補強板を内挿しようとすると、容器本体に穿設したスリットや穴の端縁に沿って防水フィルムを溶断等によりシールする必要があり、手間とコストがかかるほか、複雑な開口部等を有する形態に対応することが難しい。
【０００８】
また、包装容器の材料として、段ボールの中芯やライナー自体に高度な耐水性を付与した耐水段ボールを使用すると、相当高価なものとなる。
【０００９】
そこで、この考案は、浸水による強度低下が少なく、安価に製造でき、開口部等の穿設に制約が生じない包装容器を提供することを課題とする。
【課題を解決するための手段】
【００１０】
上記課題を解決するため、この考案は、耐水性を備えた厚紙製の容器本体に、その側壁を補強する補強板が内挿された包装容器において、前記補強板は、厚紙製の基材が樹脂製フィルムで包まれたものとしたのである。
【００１１】
また、前記補強板は、基材に帯状のフィルムを巻き付けて、フィルムの端部を閉じ、基材がフィルムから抜けないようにしたのである。
【００１２】
さらに、前記側壁は、外側板と内側板とを備えたものとし、外側板と内側板の間に前記補強板を挟み込んだのである。
【考案の効果】
【００１３】
この考案に係る包装容器では、浸水して容器本体の側壁の強度が低下しても、補強板の基材がフィルムで包まれているので、補強板の強度は低下せず、積上強度が維持される。
【００１４】
また、容器本体をフィルムで被覆せず、補強板の基材のみをフィルムで包むことにより安価に製造できるほか、容器本体への開口部等の穿設が制約されることもない。
【図面の簡単な説明】
【００１５】
【図１】この考案の実施形態に係る容器本体及び補強板の基材の段ボール製ブランクを示す図
【図２】同上の補強板をフィルムで包む過程を示す斜視図
【図３】同上の補強板を折り曲げた状態を示す斜視図
【図４】同上の包装容器の組立過程を示す斜視図
【図５】同上の包装容器の組立状態を示す斜視図
【図６】同上の長さ方向の側壁の断面図
【考案を実施するための形態】
【００１６】
以下、この考案の実施形態を添付図面に基づいて説明する。
【００１７】
この包装容器は、水産物の運搬等に使用されるトレイ状のものであり、図１に示す段ボール製ブランクから組み立てられる。
【００１８】
容器本体１のブランクでは、長方形の底壁２の一対の長辺に、長さ方向の側壁３を形成する外側板５、頂板６及び内側板７が順次連設され、底壁２の一対の短辺に、幅方向の側壁４を形成する外側板８、頂板９及び内側板１０が順次連設されている。
【００１９】
側壁４の外側板８及び内側板１０の両側端には、折込片１１，１２がそれぞれ連設されている。折込片１１，１２は、根元から折り曲げられて側壁３を形成するものであり、その長さは側壁３の両側端間の寸法の略半分とされている。
【００２０】
内側板１０の先端には、底当片１３が連設されている。内側板１０と折込片１２及び底当片１３との境界の罫線は、段ボールの裏面側から押圧した他の罫線とは逆方向へ折れ曲がるように、段ボールの表面側から押圧した逆罫とされている。
【００２１】
底壁２には、側壁３の外側板５との境界に沿って係合穴１４が２個ずつ穿設され、内側板７の先端には、係合突起１５が２個ずつ突設されている。また、折込片１１，１２にも係合突起１５が突設されている。
【００２２】
側壁４の外側板８には、底壁２との境界の中央部に臨む位置に台形状の押込片１６ａが切込により設けられ、内側板１０には、底当片１３との境界の中央部に臨む位置に台形状の抜穴１６ｂが形成されている。
【００２３】
補強板２０の基材２０ａのブランクでは、枠板２１の両側に罫線を介して枠板２２が連設され、枠板２１の長さは、側壁４の両側端間の寸法に略一致し、枠板２２の長さは、側壁３の両側端間の寸法の略半分とされている。また、枠板２１には、下縁となる端縁の中間部に、内側板１０の抜穴１６ｂに対応する台形状の抜穴２３が形成されている。
【００２４】
上記のような基材２０ａのブランクは、図２に示すように、防水性に優れた低密度ポリエチレン製のフィルム２４で包み込む。フィルム２４としては、幅が基材２０ａの２倍より大きな帯状のものを用いる。そして、基材２０ａにフィルム２４を二つ折りにするように巻き付けて、重ね合わせたフィルム２４の端部を閉じ、基材２０ａがフィルム２４から抜けないようにする。
【００２５】
フィルム２４による基材２０ａの被覆に際しては、フィルム２４の端部を溶断等によりシールする方法や、フィルム２４を収縮させて基材２０ａに密着させるシュリンクによる方法が採用できるほか、フィルム２４の端部を折り曲げてテープで留める等の簡易的な方法も採用できる。
【００２６】
このような補強板２０は、図３に示すように、枠板２１，２２の境界の罫線に沿ってコ字状に折り曲げ、一対のものを対向させて使用する。
【００２７】
そして、包装容器の組み立てに際しては、図４に示すように、容器本体１のブランクにおいて、底壁２から外側板８を起こし、折込片１１を対向する側壁４の方向へ折り曲げ、折込片１１の係合突起１５を係合穴１４に係合させた状態で、補強板２０を枠板２１，２２がそれぞれ外側板８及び折込片１１の内面に沿うように容器本体１に挿入する。
【００２８】
次に、内側板１０から折込片１２を折り曲げ、外側板８から頂板９及び内側板１０を巻き込むように折り曲げて、外側板８と内側板１０の間に枠板２１を挟むことにより、側壁４を形成すると共に、折込片１２の内面に枠板２２を沿わせる。
【００２９】
続いて、図５及び図６に示すように、折込片１２の係合突起１５を係合穴１４に係合させ、底当片１３を底壁２の上面に当接させる。
【００３０】
その後、外側板５、頂板６及び内側板７を巻き込むように折り曲げ、外側板５と内側板７の間に、折込片１１、枠板２２及び折込片１２を外側から内側へ順次挟み込んで側壁３を形成し、内側板７の係合突起１５を係合穴１４に係合させる。
【００３１】
この組立状態において、重なった抜穴１６ｂ，２３に押込片１６ａを押し込むと、運搬時に手を入れられる手掛穴１６が形成される。
【００３２】
上記のような包装容器では、浸水により容器本体１の側壁３，４の強度が低下しても、補強板２０の基材２０ａがフィルム２４で包まれているので、補強板２０の強度は低下せず、輸送時や保管時における積上強度が維持される。特に、一対の側壁３は、段ボールが五層に重なる構造となっているため、積上強度が非常に向上し、重量のある水産物の輸送や保管に際して、多段に積み上げることができ、流通の効率化を図ることができる。
【００３３】
また、容器本体１をフィルム２４で被覆せず、補強板２０の基材２０ａのみをフィルム２４で包んでいるので、安価に製造できるほか、容器本体１に手掛穴１６や水抜穴等の開口部を穿設しても、その端縁にシールを施す必要がなく、複雑な開口部等を有する多様な形態を形成することができる。
【００３４】
なお、上記実施形態では、容器本体１の各一対の側壁３，４がそれぞれ外側板５，８及び内側板７，１０を備えた額縁構造となっているトレイ状のものを例示したが、各一対の側壁３，４のうち、いずれか一方のみが額縁構造となっているものや、周方向に連設された側壁３，４の上下端から延びるフラップを折り曲げる溝切型の箱のようなものにおいても、補強板２０による補強構造を採用することができる。
【００３５】
また、補強板２０として、一対の帯板状のものをコ字状に折り曲げた状態で突き合わせるように対向させ、各一対の側壁３，４の全周に亘って容器本体１に内挿するものを例示したが、枠板２２を短くして、一対のコ字状の補強板２０の間が空くようにしてもよく、それぞれの側壁３，４に平板状の補強板２０を挟み込むようにしてもよい。すなわち、補強板２０の形状や配置は、容器本体１の形状に合わせて適宜変化させればよい。
【００３６】
また、容器本体１の材料として、ある程度の耐水性を有する段ボールを使用することを前提としているが、容器本体１の材料は、収納する物品や流通時の状況に応じて、適宜の耐水性を有する段ボールや厚紙等を選択すればよい。
【００３７】
さらに、フィルム２４の材質として、低密度ポリエチレンを例示したが、フィルム２４は、防水性に優れたものであれば、他の材質から成るものとしてもよい。
【符号の説明】
【００３８】
１  容器本体
２  底壁
３，４  側壁
５，８  外側板
６，９  頂板
７，１０  内側板
１１，１２  折込片
１３  底当片
１４  係合穴
１５  係合突起
１６  手掛穴
１６ａ  押込片
１６ｂ  抜穴
２０  補強板
２０ａ  基材
２１，２２  枠板
２３  抜穴
２４  フィルム
【図１】
0003194019.tif 000003
【図２】
0003194019.tif 000004
【図３】
0003194019.tif 000005
【図４】
0003194019.tif 000006
【図５】
0003194019.tif 000007
【図６】
0003194019.tif 000008